(57)【要約】【課題】  掃除機用付属品の種類ないし数が多くなっても、それに対応して掃除機本体と共に保管可能な付属品の数を増やすことができる掃除機用付属品取付具を提供する。【解決手段】  掃除機用付属品取付具１は、掃除機本体１１に着脱可能な付属品が各々着脱可能に取り付けられる複数の付属品取付部２ａ〜２ｃと、掃除機本体１１の付属品取付部又は別の付属品取付具１６に着脱可能に取り付けられる取付部２ｄと、上記取付部２ａ〜２ｄをそれぞれ互いに離間した位置に保持する支持部３とを備える。【選択図】  図５
2017055833.tif 000002
【特許請求の範囲】
【請求項１】
掃除機本体に着脱可能な付属品が各々着脱可能に取り付けられる複数の付属品取付部と、前記掃除機本体の付属品取付部又は別の付属品取付具に着脱可能に取り付けられる取付部と、前記取付部及び前記複数の付属品取付部をそれぞれ互いに離間した位置に保持する支持部とを備えることを特徴とする掃除機用付属品取付具。
【請求項２】
請求項１に記載の掃除機用付属品取付具において、
前記支持部は、前記複数の付属品取付部を各々所定の方向に回転可能に保持すると共に該回転方向の任意の位置に係止可能に構成されていることを特徴とする取付具。
【請求項３】
請求項２に記載の掃除機用付属品取付具において、
前記支持部は、前記付属品取付部を回転可能に支持する支持部材と、該支持部材を中心として回転する前記付属品取付部の回転面に形成された凹凸部とかみ合う凹凸面を有するラチェット板と、該ラチェット板の凹凸面を前記付属品取付部の前記凹凸部に係合させるスプリングと、前記付属品取付部の回転に対して前記ラチェット板の回転を阻止する回転阻止部とを備えて構成されていることを特徴とする取付具。
【請求項４】
請求項１〜３のいずれか１項に記載の掃除機用付属品取付具において、
前記掃除機本体の付属品取付部は、前記掃除機本体の吸込口であり、
前記別の付属品取付具は、前記掃除機本体を着脱自在に取り付けて所定の場所に保持する保持部材からなることを特徴とする取付具。
【発明の詳細な説明】
【技術分野】
【０００１】
本発明は、掃除機本体に着脱可能な付属品を本体と共に保管する際に用いられる掃除機用付属品取付具に関する。
【背景技術】
【０００２】
例えば、家庭等で使用される電気製品には、電気掃除機のように使用目的あるいは使用環境に応じて本体に付属品を取り付けて使用するものがある。電気掃除機の場合、掃除機本体の吸引口にクリーナーヘッドを長尺の管を介して或いは直接取り付けて床面等の掃除を行うが、床面の他に家具間の隙間や机上等、掃除の対象によっては、クリーナーヘッドに代えて、先端にブラシを備えた吸込ヘッドや、先端に吸込口を備えた細長い管状の吸込ヘッド等の付属品を、本体に取り付けて使用することが一般的である。
【０００３】
このような電気掃除機を使用しないときには、一般に掃除機本体を所定の場所に収納或いは保管するが、吸込ヘッド等の付属品は本体と同じところに保管されるとは限らない。それら付属品が本体とは別に保管されていると、掃除機を使用する際に必要な付属品が直ちに用意できないことになる。そこで、例えば特許文献１に開示された形態の電気掃除機では、その掃除機本体を壁面に沿って保管するための取付部材に付属品を取付可能に構成することで、掃除機本体と付属品を一緒に保管可能とすることが知られている。
【先行技術文献】
【特許文献】
【０００４】
【特許文献１】特開２０１５−３４３号公報
【発明の概要】
【発明が解決しようとする課題】
【０００５】
しかしながら、上記のような取付部材では、掃除機本体を取り付けるためにスペースが大きく取られる分、取り付け可能な付属品の数が（例えば、２以下に）限られている。そのため、付属品が多い場合には、全ての付属品を取り付けることができず、多様な付属品を備える掃除機には適合するものとなっていない。
【０００６】
本発明は、以上に鑑み、掃除機用付属品の種類ないし数が多くなっても、それに対応して多数の付属品を掃除機本体と共に保管可能にする掃除機用付属品取付具を提供することを目的とする。
【課題を解決するための手段】
【０００７】
本発明の掃除機用付属品取付具は、掃除機本体に着脱可能な付属品が各々着脱可能に取り付けられる複数の付属品取付部と、前記掃除機本体の付属品取付部又は別の付属品取付具に着脱可能に取り付けられる取付部と、前記取付部及び前記複数の付属品取付部をそれぞれ互いに離間した位置に保持する支持部とを備えることを特徴とする。
【０００８】
本発明の掃除機用付属品取付具は、付属品の数に応じて複数の付属品取付部を備えることにより、その付属品取付部に付属品を取り付けると共に、取付部を掃除機本体の付属品取付部に取り付けることで、当該掃除機の付属品を掃除機本体と一体に保管することができる。或いは、前記取付部を掃除機本体に取り付け可能な別の付属品取付具に取り付けることで、当該掃除機の付属品を掃除機本体と一緒に保管することができる。
【０００９】
また、本発明の取付具を２つ以上用意して、一の取付具の付属品取付部の１つに他の取付具の取付部を取り付けることにより、２以上の取付具が連結されて、全体として付属品取付部の数が増えた取付具を構成することができる。
【００１０】
本発明の掃除機用付属品取付具において、前記支持部は、複数の付属品取付部を各々所定の方向に回転可能に保持すると共に該回転方向の任意の位置に係止可能に構成されることが好ましい。
【００１１】
これによれば、付属品取付部を回転させて任意の位置に設定することができるので、付属品の形状や大きさに応じて、隣接する取付部間の間隔を調整することができる。
【００１２】
この場合、前記支持部は、付属品取付部を回転可能に支持する支持部材と、該支持部材を中心として回転する前記付属品取付部の回転面に形成された凹凸部とかみ合う凹凸面を有するラチェット板と、該ラチェット板の凹凸面を前記付属品取付部の前記凹凸部に係合させるスプリングと、前記付属品取付部の回転に対して前記ラチェット板の回転を阻止する回転阻止部とを備えて構成することができる。
【００１３】
この構成によれば、各付属品取付部を所定の角度範囲内で回転させる限り、各付属品取付部の凹凸部がラチェット板の凹凸部に対して、凹凸の噛み合い位置の間隔ずつ回転するので、その噛み合い位置で各付属品取付部を係止することができる。
【００１４】
また、一般に、電気掃除機においてクリーナーヘッドやブラシを備えた吸込ヘッド等の付属品は、掃除機本体の吸込口に取り付けて使用される、すなわち、掃除機本体の吸込口が付属品取付部となっているので、その吸込口に本発明の取付具を取り付け可能に構成することが好ましい。
【００１５】
更に、別の付属品取付具は、前記掃除機本体を着脱自在に取り付けて所定の場所に保持する取付部材とすることができる。この場合、別の付属品取付具として、前述のように掃除機本体を壁面に沿って保管するための取付部材を利用し、この取付部材に本発明の取付具を取り付けることで、掃除機本体と付属品を一緒に保管することができる。
【図面の簡単な説明】
【００１６】
【図１】実施形態の取付具（アダプタ）の外観を示す斜視図。
【図２】同取付具の各取付部の位置を変えた状態を示す斜視図。
【図３】同取付具の分解図。
【図４】図４Ａは一の付属品取付部に付属品を取り付けた状態を示す断面図、図４Ｂは同付属品取付部から付属品を取り外す状態の断面図。
【図５】掃除機とその付属品を取り付ける取付具の状態を示す図。
【図６】掃除機本体と付属品を取り付けた取付具の取り付け状態示す図。
【図７】掃除機とその付属品を壁面に沿って取り付け支持する取付部材の例を示す図。
【図８】図７に示した取付部材に実施形態の取付具を介して付属品を取り付けた状態を示す図。
【発明を実施するための形態】
【００１７】
以下、本発明の実施形態の掃除機用付属品取付具（以下、単にアダプタという）について説明する。
【００１８】
図１及び図２に示すアダプタ１は、後述する例（図５及び図６）の掃除機本体１１に着脱可能な付属品として、長尺の管１２の先端に着脱自在に取り付けられるクリーナーヘッド１３、先端に吸込口を備えた細長い管状の吸込ヘッド１４、先端にブラシを備えた吸込ヘッド１５等の付属品が各々着脱可能に取り付けられる３つの付属品取付部２ａ〜２ｃと、掃除機本体１１の付属品取付部又は別の付属品取付具に着脱可能に取り付けられる取付部２ｄと、これら４つの取付部２ａ〜２ｄをそれぞれ互いに離間した位置に保持する十字形の支持部３とを備えて構成される。
【００１９】
本実施形態のアダプタ１において、１つの取付部２ｄは、掃除機本体１１の付属品取付部である吸込口１１ａ（図６）に着脱可能に構成されているが、後述のように、掃除機本体１１を取り付け可能な別の付属品取付具である取付部材１６（図７及び図８）にも取り付け可能である。また、アダプタ１を２つ以上用意して、一のアダプタ１の付属品取付部２ａ〜２ｃの１つに他のアダプタ１の取付部２ｄを取り付けることにより、２以上のアダプタ１が連結されて、全体として付属品取付部の数が増えたアダプタを構成することができる。
【００２０】
支持部３は、上記４つの取付部２ａ〜２ｄを各々後述の円盤部２１の中心軸線周りに回転可能に保持すると共に、その回転方向の任意の位置に係止可能に構成される。その構成により、各取付部２ａ，２ｂ，２ｃ，２ｄは、後述のように支持部３内で支持された円盤部２１を支点として、その軸線周りに所定の角度範囲（例えば６０度の範囲）で回転可能であり、図１は十字形を形成する位置、図２は各取付部２ａ，２ｂ，２ｃ，２ｄが所定の角度範囲の限界位置まで、各々回転した状態を示している。
【００２１】
次に図３に示すように、各取付部２ａ〜２ｄは、十字形の支持部３の外端に回転可能に結合された円盤部２１と、各円盤部２１から外方に延びた円筒部２２とからなる。各付属品取付部２ａ〜２ｄの円盤部２１の上面は、支持部３の上側ケーシング３１内に位置する４つの円形ラチェット板３３の下面凹凸部が係合する波状の凹凸面として形成され、円盤部２１の下面は、支持部３の十字形の下側ケーシング３２の４つの円形端部の中心に位置するねじ３０を支点として、回転可能に支持されている。すなわち、ねじ３０が各取付部２ａ〜２ｄを回転可能に支持する支持部材となっている。
【００２２】
また、上記３つの付属品取付部２ａ，２ｂ，２ｃは、円筒部２２の先端（円盤部２１と反対側）の開口２３に、図５に示すような付属品１３，１４，１５の基端部（取付部）を挿入して着脱可能に形成される一方、１つの取付部２ｄは、その円筒部２２の先端部を、図６に示すように掃除機本体１１の付属品取付部である吸込口１１ａに挿入して着脱可能に形成されている。
【００２３】
詳細には、３つの付属品取付部２ａ〜２ｃでは、横に延びた円筒部２２の上面に形成された開口部２４の中に略楕円形の押しボタン２５が配置されている。図３に示すように、押しボタン２５は、その基端部の下面から下方に突出した突起部２５ａと、その長手方向両側面から突出した突起２５ｂとを備え、開口部２４の周壁に設けた孔２４ａに挿入された突起２５ｂを支点として上下に回動可能に支持されている。円筒部２２の先端側に位置する押しボタン２５の先端部は、下方に配置されたコイルスプリング２６によって上方に付勢されており、後述のように付属品１３、１４、１５を抜けないように保持するロック機構を構成している。
【００２４】
従って、例えば、一の付属品取付部２ａに付属品１４の基端部を挿入した状態では、図４Ａに示すように、コイルスプリング２６の付勢力によって押しボタン２５の下方突起部２５ａが、付属品１４の基端部に設けた凹部１４ａに係合することにより、付属品１４を抜けないように保持している。ここで、付属品１４を取り外す場合には、図４Ｂに示すように、押しボタン２５の先端部を押し下げると、突起部２５ａが上がって付属品１４の凹部１４ａから外れる。この結果、付属品１４を矢印方向に取り出すことができる。
【００２５】
これに対し、取付部２ｄは、付属品取付部２ａ〜２ｃと同様の形状になっているが、上記のように掃除機本体１１の付属品取付部、或いは掃除機本体１１に取り付け可能な別の付属品取付具である取付部材１６に取り付けられるため、上記押しボタン２５によるロック機構は備えていない。図５〜図８の例では、掃除機本体１１及び取付部材１６の各付属品取付部に、押しボタン２５によるロック機構が設けられている。
【００２６】
また、アダプタ１の取付部２ｄは、他のアダプタ１の付属品取付部２ａ〜２ｃのいずれにも取り付けられるように、付属品取付部２ａ〜２ｃの押しボタン２５の下方突起部２５ａが係合する凹部を備えている。
【００２７】
一方、支持部３は、図３及び図４に示すように、中心部に挿入されるねじ３０によって結合される平面視十字形の上下２つのケーシング３１，３２と、上下ケーシング３１，３２の間にあって、各取付部２ａ〜２ｄの円盤部２１の上面凹凸部とかみ合う円形のラチェット板３３と、各ラチェット板３３の上面に形成された平面視略十字形の柱状部３４と、該柱状部３４の周りを包囲して上下方向に伸縮可能に配置されたコイルスプリング３５と、支持部３の十字形の上側ケーシング３１の４つの円形端部の内側で柱状部３４に係合してラチェット板３３の回転を阻止する回転阻止部３６とを備えている。
【００２８】
アダプタ１の取付部２ａ〜２ｄと支持部３は、上記のように構成されているので、支持部３の上側ケーシング３１の４つの円形端部の下方で、コイルスプリング３５の押す力により、ラチェット板３３の下面凹凸部が各取付部２ａ〜２ｄの円盤部２１の上面凹凸部に係合し、上下の凹凸部が噛み合った位置で各取付部２ａ〜２ｄが保持される。
【００２９】
ここで、各取付部２ａ〜２ｄが、図１のように十字形を形成する位置にある場合、各取付部２ａ〜２ｄを、その円盤部２１の中心を支点として回転させると、その回転方向で円盤部２１の上面凹凸部が、スプリング３５の力に抗してラチェット板３３の下面凹凸部との係合を外して、次の凹凸部が噛み合う位置まで回転して係止される。
【００３０】
こうして各取付部２ａ〜２ｄを所定の角度範囲内で回転させる限り、円盤部２１の上面凹凸部がラチェット板３３の下面凹凸部に対して１ピッチ（凹凸の噛み合い位置の間隔）ずつ回転することができる。そして、各取付部２ａ〜２ｄは、図１の位置からいずれの方向に回転しても、各々の円筒部２２の円盤部２１側に突出した基端部が支持部３の中央部分の外縁に当接した位置で止められる。この２方向の停止位置によって各取付部２ａ〜２ｄの回転可能な角度範囲が定められている。図２は、各取付部２ａ〜２ｄの円筒部２２の基端部が回転停止位置の一方に接近した状態を示している。
【００３１】
以下、実施形態のアダプタの使用方法について説明する。
【００３２】
図５に示すように、掃除機本体１１に取り付けて使用される付属品が少なくとも３つある場合、３つの取付部２ａ〜２ｃにそれぞれ任意の付属品１４，１５，１３の基端部を挿入して固定することにより、アダプタ１に３つの付属品が取り付けられる。このとき、取付部２ａ〜２ｄは、各々の円盤部２１を中心として所定の角度範囲で回転することができるので、付属品の形状や大きさに応じて、隣接する取付部間の間隔を調整することができる。
【００３３】
次に図６に示すように、アダプタ１の取付部２ｄの円筒部２２を掃除機本体１１の付属品取付部である吸込口１１ａに挿入してそのロック機構で固定することにより、３つの付属品１３〜１５を掃除機本体１１と一体にして保管することができる。
【００３４】
また、図７に示すように、掃除機本体１１を、付属品の１つであるクリーナーヘッド１３を長尺の管１２を介して取り付けた状態で、壁面に沿って保管するための取付部材１６が、２本のねじ２０で壁面Ｗに固定されており、この取付部材１６には、掃除機本体１１を保持する保持部の他に付属品を２つ（例えば、吸込ヘッド１４及び１５）取付可能な付属品取付部１７及び１８が設けられている。
【００３５】
この場合、図８に示すように、一の付属品取付部１７には一の付属品（例えば、吸込ヘッド）１４を取り付け、他の付属品取付部１８には、他の２つの付属品１３及び１５を取り付けたアダプタ１の取付部２ｄを取り付けることにより、図７の取付部材１６に取り付けられる数より多い数の付属品を、掃除機本体１１と共に保管することができる。
【００３６】
以上、図示の実施形態について説明したが、本発明はこれに限定されるものではない。
【００３７】
例えば、付属品取付部は３つに限らず、掃除機本体に付属する付属品の数に応じて複数設ければよい。また、各取付部は、支持部に対して回転可能でなく、固定される構造でもよい。
【符号の説明】
【００３８】
１・・・アダプタ、２ａ，２ｂ，２ｃ，２ｄ・・・取付部、３・・・支持部、４・・・胴部、５・・・胸部、６・・・頭部、７ａ・・・中空部、７ｃ・・・左脚、７ｄ・・・右脚、８・・・突出部、１１・・・掃除機本体、１２・・・管、１３，１４，１５・・・付属品、１６・・・取付部材、２１・・・円盤部、２２・・・円筒部、２３・・・開口、２５・・・押しボタン。
【図１】
2017055833.tif 000003
【図２】
2017055833.tif 000004
【図３】
2017055833.tif 000005
【図４】
2017055833.tif 000006
【図５】
2017055833.tif 000007
【図６】
2017055833.tif 000008
【図７】
2017055833.tif 000009
【図８】
2017055833.tif 000010